(57)【要約】  本発明は超高速ランダム・アクセスを処理するための方法、装置およびシステムを開示する。当該方法は、セル・タイプと第１の循環シフトパラメータＮｃｓに従ってＺＣシーケンス・グループを選択し、当該ＺＣシーケンス・グループ内のＺＣシーケンスごとにＮ個の検出ウィンドウを設定するステップであって、Ｎ≧５であるステップと、当該ＵＥがランダム・アクセス・シーケンスを当該ＺＣシーケンス・グループから選択するように、当該セル・タイプ、第２のＮｃｓ、および当該ＺＣシーケンス・グループをユーザ機器ＵＥに送信するステップと、当該ＵＥにより送信されたランダム・アクセス信号を受信し、当該ランダム・アクセス・シーケンスを当該ランダム・アクセス信号から取得するステップと、当該ＺＣシーケンス・グループ内の各ＺＣシーケンスを用いて当該ランダム・アクセス・シーケンスに相関関係処理を実施し、各ＺＣシーケンスの当該Ｎ個の検出ウィンドウ内の有効ピーク値を検出し、ラウンド・トリップ遅延ＲＴＤの推定値を当該有効ピーク値に従って決定するステップとを含む。ラウンド・トリップ遅延を超高速シナリオで正確に検出するのが困難であるという問題が解決され、その結果、超高速シナリオにおいてユーザ機器がネットワークに正常にアクセスでき、それによりネットワーク・アクセス性能が高まる。
2015530013.tif 000002
【特許請求の範囲】
【請求項１】
セル・タイプと第１の循環シフトパラメータＮｃｓに従ってＺａｄｏｆｆ−Ｃｈｕ（ＺＣ）シーケンス・グループを選択し、前記ＺＣシーケンス・グループ内のＺＣシーケンスごとにＮ個の検出ウィンドウを設定するステップであって、Ｎ≧５であるステップと、
ユーザ機器（ＵＥ）がランダム・アクセス・シーケンスを前記ＺＣシーケンス・グループから選択するように、前記セル・タイプ、第２のＮｃｓ、および前記ＺＣシーケンス・グループを前記ＵＥに送信するステップと、
前記ＵＥにより送信されたランダム・アクセス信号を受信し、前記ランダム・アクセス・シーケンスを前記ランダム・アクセス信号から取得するステップと、
前記ＺＣシーケンス・グループ内の各ＺＣシーケンスを用いて前記ランダム・アクセス・シーケンスに相関関係処理を実施し、各ＺＣシーケンスの前記Ｎ個の検出ウィンドウ内の有効ピーク値を検出し、前記有効ピーク値に従ってラウンド・トリップ遅延（ＲＴＤ）の推定値を決定するステップと、
を含む、超高速ランダム・アクセスを処理するための方法。
【請求項２】
前記ＺＣシーケンス・グループがＭ個のＺＣシーケンスを含むとき、前記ＺＣシーケンス・グループ内のＺＣシーケンスごとにＮ個の検出ウィンドウを設定するステップは、
前記ＺＣシーケンス・グループ内のｉ番目のＺＣシーケンスのｄｕＨＴ値を取得するステップと、
前記ｉ番目のＺＣシーケンスの前記ｄｕＨＴ値に従って前記ｉ番目のＺＣシーケンスのＮ個の検出ウィンドウ開始位置を決定するステップと、
前記ｉ番目のＺＣシーケンスの前記Ｎ個の検出ウィンドウの前記検出ウィンドウ開始位置と検出ウィンドウの事前設定サイズに従って前記ｉ番目のＺＣシーケンスの前記Ｎ個の検出ウィンドウを設定するステップと、
を含み、
前記ｉ番目のＺＣシーケンスの前記ｄｕＨＴ値は、周波数変動が
【数１】
2015530013.tif 000041
であるときの前記ｉ番目のＺＣシーケンスの電力遅延プロフィール（ＰＤＰ）内の鏡像画像ピークの前記ＲＴＤに対するシフトを指し、ＴＳＥＱは前記ｉ番目のＺＣシーケンスが占める時間間隔であり、ｉの値は［１、Ｍ］の中の任意の整数である。
請求項１に記載の方法。
【請求項３】
超高速ランダム・アクセスの周波数変動範囲が、ΔｆＲＡがランダム・アクセス・チャネルのサブキャリア間隔を表す
【数２】
2015530013.tif 000042
であり、かつ、前記ＺＣシーケンス・グループがＭ個のＺＣシーケンスを含むとき、前記ＺＣシーケンス・グループ内のＺＣシーケンスごとにＮ個の検出ウィンドウを設定するステップは、
前記ＺＣシーケンス・グループ内のｉ番目のＺＣシーケンスのｄｕＨＴ値を取得するステップと、
前記ｉ番目のＺＣシーケンスの５個の検出ウィンドウを前記ｉ番目のＺＣシーケンスの前記ｄｕＨＴ値に従って設定するステップと、
を含み、
前記ｉ番目のＺＣシーケンスの前記ｄｕＨＴ値は、周波数変動が
【数３】
2015530013.tif 000043
であるとき、前記ｉ番目のＺＣシーケンスの電力遅延プロフィールＰＤＰにおける鏡像画像ピークの前記ＲＴＤに対するシフトを指し、ＴＳＥＱは前記ｉ番目のＺＣシーケンスが占める時間間隔であり、ｉの値は［１、Ｍ］の中の任意の整数である、
請求項１に記載の方法。
【請求項４】
前記ｉ番目のＺＣシーケンスの５個の検出ウィンドウを前記ｉ番目のＺＣシーケンスの前記ｄｕＨＴ値に従って設定するステップは、
前記ｉ番目のＺＣシーケンスの５個の検出ウィンドウの開始位置を前記ｉ番目のＺＣシーケンスの前記ｄｕＨＴ値に従って取得するステップであって、前記５個の検出ウィンドウはそれぞれ検出ウィンドウ（１）、検出ウィンドウ（２）、検出ウィンドウ（３）、検出ウィンドウ（４）および検出ウィンドウ（５）であり、
前記検出ウィンドウ（１）の開始位置は０であり、
前記検出ウィンドウ（２）の開始位置はｍｏｄ（ｄｕＨＴ、Ｎｚｃ）であり、
前記検出ウィンドウ（３）の開始位置はｍｏｄ（−ｄｕＨＴ、Ｎｚｃ）であり、
前記検出ウィンドウ（４）の開始位置はｍｏｄ（２＊ｄｕＨＴ、Ｎｚｃ）であり、
前記検出ウィンドウ（５）の開始位置はｍｏｄ（−２＊ｄｕＨＴ、Ｎｚｃ）であり、
Ｎｚｃは前記ｉ番目のＺＣシーケンスの長さであるステップと、
前記ｉ番目のＺＣシーケンスの５個の検出ウィンドウを前記５個の検出ウィンドウの前記開始位置と検出ウィンドウの事前設定サイズに従って設定するステップと、
を含む、請求項３に記載の方法。
【請求項５】
前記ｉ番目のＺＣシーケンスのｄｕＨＴ値が全て、条件
【数４】
2015530013.tif 000044
を満たし、その結果、前記ｉ番目のＺＣシーケンスの５個の検出ウィンドウが重複せず、前記条件において、前記Ｎｃｓは前記第１のＮｃｓであり、前記Ｎｚｃは前記ｉ番目のＺＣシーケンスの長さである、
請求項３または４に記載の方法。
【請求項６】
各ＺＣシーケンスの前記Ｎ個の検出ウィンドウ内の有効ピーク値を検出し、前記有効ピーク値に従ってラウンド・トリップ遅延（ＲＴＤ）の推定値を決定するステップは、
各ＺＣシーケンスの前記Ｎ個の検出ウィンドウにおいて前記有効ピーク値の一次ピーク値を検出するステップと、
前記有効ピーク値の二次ピーク値に関する検索ウィンドウを前記一次ピーク値が存在する検出ウィンドウに従って決定するステップと、
前記二次ピーク値に関する前記検索ウィンドウにおいて前記二次ピーク値を検出し、ＲＴＤ推定ウィンドウを前記一次ピーク値が存在する前記検出ウィンドウと前記二次ピーク値が存在する検出ウィンドウの組合せ関係に従って決定するステップと、
前記ＲＴＤの前記推定値を前記ＲＴＤ推定ウィンドウ内の前記有効ピーク値の位置に従って決定するステップと、
を含む、請求項１乃至５の何れか１項に記載の方法。
【請求項７】
ＲＴＤの推定値を前記有効ピーク値に従って決定するステップは、
ＲＴＤ推定ウィンドウを前記有効ピーク値が存在する検出ウィンドウに従って決定するステップと、
前記ＲＴＤの前記推定値を前記ＲＴＤ推定ウィンドウ内の前記有効ピーク値の位置に従って決定するステップと、
を含む、請求項１乃至５の何れか１項に記載の方法。
【請求項８】
ＲＴＤ推定ウィンドウを前記有効ピーク値が存在する検出ウィンドウに従って決定するステップは、
前記有効ピーク値が存在する前記ＺＣシーケンスの前記検出ウィンドウが前記ＺＣシーケンスの他の検出ウィンドウと重複しない場合には、前記有効ピーク値が存在する検出ウィンドウから検出ウィンドウを前記ＲＴＤ推定ウィンドウとしてランダムに選択するステップ、
または、
前記有効ピーク値が存在する前記ＺＣシーケンスの前記検出ウィンドウが前記ＺＣシーケンスの他の検出ウィンドウと重複するが、少なくとも１つの有効ピーク値が重複しない場合には、前記少なくとも１つの有効ピーク値が存在する検出ウィンドウを前記ＲＴＤ推定ウィンドウとして決定するステップ、
または、
前記有効ピーク値が存在する前記ＺＣシーケンスの前記検出ウィンドウが前記ＺＣシーケンスの他の検出ウィンドウと重複し、前記有効ピーク値が重複する場合には、前記有効ピーク値が存在する検出ウィンドウでランダム・アクセス信号が検出されなかったと判定するか、または、前記有効ピーク値の一次ピーク値が存在する２つの検出ウィンドウの周波数変動に従って前記ランダム・アクセス信号に周波数変動処理を行って新たな有効ピーク値を取得し、前記周波数変動と前記ＲＴＤ推定ウィンドウを前記新たな有効ピーク値に従って決定するステップ
を含む、請求項７に記載の方法。
【請求項９】
前記有効ピーク値が存在する検出ウィンドウに従って前記周波数変動を推定するステップをさらに含む、請求項１乃至８の何れか１項に記載の方法。
【請求項１０】
セル・タイプと第１の循環シフトパラメータＮｃｓに従ってＺａｄｏｆｆ−Ｃｈｕ（ＺＣ）シーケンス・グループを選択するように構成された選択ユニットと、
前記選択ユニットにより選択された前記ＺＣシーケンス・グループ内のＺＣシーケンスごとにＮ個の検出ウィンドウを設定するように構成された設定ユニットであって、Ｎ≧５である設定ユニットと、
ユーザ機器（ＵＥ）がランダム・アクセス・シーケンスを前記ＺＣシーケンス・グループから選択するように、前記セル・タイプ、第２のＮｃｓ、および前記選択ユニットにより選択された前記ＺＣシーケンス・グループを前記ＵＥに送信するように構成された送信ユニットと、
前記ＵＥにより送信されたランダム・アクセス信号を受信し、前記ランダム・アクセス・シーケンスを前記ランダム・アクセス信号から取得するように構成された受信ユニットと、
前記ＺＣシーケンス・グループ内の各ＺＣシーケンスを用いて前記受信ユニットにより取得された前記ランダム・アクセス・シーケンスに相関関係処理を実施し、ＺＣシーケンスごとに前記設定ユニットにより設定された前記Ｎ個の検出ウィンドウ内の有効ピーク値を検出し、前記有効ピーク値に従ってラウンド・トリップ遅延（ＲＴＤ）の推定値を決定するように構成された検出ユニットと、
を備えた、超高速ランダム・アクセスを処理するための装置。
【請求項１１】
前記選択ユニットにより選択された前記ＺＣシーケンス・グループがＭ個のＺＣシーケンスを含むとき、前記設定ユニットはさらに、
前記ＺＣシーケンス・グループ内のｉ番目のＺＣシーケンスのｄｕＨＴ値を取得し、
前記ｉ番目のＺＣシーケンスのＮ個の検出ウィンドウ開始位置を前記ｉ番目のＺＣシーケンスの前記ｄｕＨＴ値に従って決定し、
前記ｉ番目のＺＣシーケンスの前記Ｎ個の検出ウィンドウを、前記ｉ番目のＺＣシーケンスの前記Ｎ個の検出ウィンドウの前記検出ウィンドウ開始位置と検出ウィンドウの事前設定サイズに従って設定する
ように構成され、
前記ｉ番目のＺＣシーケンスの前記ｄｕＨＴ値は、周波数変動が、
【数５】
2015530013.tif 000045
であるとき、前記ｉ番目のＺＣシーケンスの電力遅延プロフィール（ＰＤＰ）内の鏡像画像ピークの前記ＲＴＤに対するシフトを指し、ＴＳＥＱは前記ｉ番目のＺＣシーケンスが占める時間間隔であり、ｉの値は［１、Ｍ］の中の任意の整数である、
請求項１０に記載の装置。
【請求項１２】
超高速ランダム・アクセスの周波数変動範囲が
【数６】
2015530013.tif 000046
であり、かつ、前記選択ユニットにより選択された前記ＺＣシーケンス・グループがＭ個のＺＣシーケンスを含むとき、前記設定ユニットはさらに、
前記ＺＣシーケンス・グループ内のｉ番目のＺＣシーケンスのｄｕＨＴ値を取得し、
前記ｉ番目のＺＣシーケンスの５個の検出ウィンドウを前記ｉ番目のＺＣシーケンスの前記ｄｕＨＴ値に従って設定する
ように構成され、
周波数変動が
【数７】
2015530013.tif 000047
であるとき、前記ｉ番目のＺＣシーケンスの前記ｄｕＨＴ値は、前記ｉ番目のＺＣシーケンスの電力遅延プロフィール（ＰＤＰ）内の鏡像画像ピークの前記ＲＴＤに対するシフトを指し、ＴＳＥＱは前記ｉ番目のＺＣシーケンスが占める時間間隔であり、ｉの値は［１、Ｍ］の中の任意の整数である、
請求項１０に記載の装置。
【請求項１３】
前記設定ユニットはさらに、
前記ｉ番目のＺＣシーケンスの５個の検出ウィンドウの開始位置を前記ｉ番目のＺＣシーケンスの前記ｄｕＨＴ値に従って取得し、
前記ｉ番目のＺＣシーケンスの５個の検出ウィンドウを前記５個の検出ウィンドウの前記開始位置と検出ウィンドウの事前設定サイズに従って設定する
ように構成され、
前記５個の検出ウィンドウはそれぞれ検出ウィンドウ（１）、検出ウィンドウ（２）、検出ウィンドウ（３）、検出ウィンドウ（４）および検出ウィンドウ（５）であり、
前記検出ウィンドウ（１）の開始位置は０であり、
前記検出ウィンドウ（２）の開始位置はｍｏｄ（ｄｕＨＴ、Ｎｚｃ）であり、
前記検出ウィンドウ（３）の開始位置はｍｏｄ（−ｄｕＨＴ、Ｎｚｃ）であり、
前記検出ウィンドウ（４）の開始位置はｍｏｄ（２＊ｄｕＨＴ、Ｎｚｃ）であり、
前記検出ウィンドウ（５）の開始位置はｍｏｄ（−２＊ｄｕＨＴ、Ｎｚｃ）であり、
Ｎｚｃは前記ｉ番目のＺＣシーケンスの長さである、
請求項１２に記載の装置。
【請求項１４】
前記選択ユニットはさらに、
前記選択されたＺＣシーケンス・グループ内のＺＣシーケンスのｄｕＨＴ値が条件
【数８】
2015530013.tif 000048
を満たすかどうかを判定し、
前記選択されたＺＣシーケンス・グループ内の少なくとも１つのＺＣシーケンスの前記ｄｕＨＴ値が前記条件を満たさない場合には、前記セル・タイプと前記第１のＮｃｓに従ってＺＣシーケンス・グループを再選択し、
前記選択されたＺＣシーケンス・グループ内の前記ＺＣシーケンスの前記ｄｕＨＴ値が全て前記条件を満たす場合には、前記選択されたＺＣシーケンス・グループを前記設定ユニットと前記送信ユニットに送信する
ように構成され、
前記条件において、前記Ｎｃｓは前記第１のＮｃｓであり、前記ＮｚｃはＺＣシーケンスの長さである、
請求項１２または１３に記載の装置。
【請求項１５】
前記検出ユニットはさらに、
前記ＺＣシーケンス・グループの各ＺＣシーケンスの前記Ｎ個の検出ウィンドウにおいて前記有効ピーク値の一次ピーク値を検出し、
前記有効ピーク値の二次ピーク値に関する検索ウィンドウを前記一次ピーク値が存在する検出ウィンドウに従って決定し、
前記二次ピーク値に関する前記検索ウィンドウにおいて前記二次ピーク値を検出し、ＲＴＤ推定ウィンドウを前記一次ピーク値が存在する前記検出ウィンドウと前記二次ピーク値が存在する検出ウィンドウの組合せ関係に従って決定し、
前記ＲＴＤの前記推定値を前記ＲＴＤ推定ウィンドウ内の前記有効ピーク値の位置に従って決定する
ように構成された、請求項１０乃至１４の何れか１項に記載の装置。
【請求項１６】
前記検出ユニットはさらに、
ＲＴＤ推定ウィンドウを前記有効ピーク値が存在する検出ウィンドウに従って決定し、
前記有効ピーク値が存在する前記ＺＣシーケンスの前記検出ウィンドウが前記ＺＣシーケンスの他の検出ウィンドウと重複しない場合には、前記有効ピーク値が存在する検出ウィンドウから検出ウィンドウを前記ＲＴＤ推定ウィンドウとしてランダムに選択するか、
または、
前記有効ピーク値が存在する前記ＺＣシーケンスの前記検出ウィンドウが前記ＺＣシーケンスの他の検出ウィンドウと重複するが、少なくとも１つの有効ピーク値が重複しない場合には、前記少なくとも１つの有効ピーク値が存在する検出ウィンドウを前記ＲＴＤ推定ウィンドウとして決定するか、
または、
前記有効ピーク値が存在する前記ＺＣシーケンスの前記検出ウィンドウが前記ＺＣシーケンスの他の検出ウィンドウと重複し、前記有効ピーク値が重複する場合には、前記有効ピーク値が存在する検出ウィンドウでランダム・アクセス信号が検出されなかったと判定するか、もしくは、前記有効ピーク値の一次ピーク値が存在する２つの検出ウィンドウの周波数変動に従って前記ランダム・アクセス信号に周波数変動処理を実施して新たな有効ピーク値を取得し、前記周波数変動と前記ＲＴＤ推定ウィンドウを前記新たな有効ピーク値に従って決定し、
前記ＲＴＤの前記推定値を前記ＲＴＤ推定ウィンドウ内の前記有効ピーク値の位置に従って決定する
ように構成された、請求項１０乃至１４の何れか１項に記載の装置。
【請求項１７】
前記検出ユニットはさらに、前記有効ピーク値が存在する検出ウィンドウに従って前記周波数変動を推定するように構成された、請求項１０乃至１６の何れか１項に記載の装置。
【発明の詳細な説明】
【技術分野】
【０００１】
関連出願の記載
本願は、発明の名称を「超高速ランダム・アクセスを処理するための方法、装置およびシステム」とした、２０１２年８月７日に中国国家知識産権局に出願された中国特許出願番号第２０１２１０２７８６８０．４号に対する優先権を主張し、その全体を引用により本明細書に取り込む。
【０００２】
本発明はモバイル通信システムの分野に関し、特に、超高速ランダム・アクセスを処理するための方法、装置およびシステムに関する。
【背景技術】
【０００３】
ロング・ターム・エボリューション（Ｌｏｎｇ  Ｔｅｒｍ  Ｅｖｏｌｕｔｉｏｎ、ＬＴＥ）システムでは、ランダム・アクセス・チャネル（Ｒａｎｄｏｍ  Ａｃｃｅｓｓ  Ｃｈａｎｎｅｌ、ＲＡＣＨ）がユーザ機器（Ｕｓｅｒ  Ｅｑｕｉｐｍｅｎｔ、ＵＥ）の初期アクセスに主に使用され、どのユーザ・データも運搬しない。ＲＡＣＨでＵＥにより送信される信号はプリアンブル（Ｐｒｅａｍｂｌｅ）シーケンスであり、当該プリアンブル・シーケンスはＺａｄｏｆｆ−Ｃｈｕシーケンス（Ｚａｄｏｆｆ−Ｃｈｕ  ｓｅｑｕｅｎｃｅ、ＺＣシーケンス）である。先行技術では、プリアンブルが２つの部分を含むことができる。当該２つの部分は、長さTCPの循環プレフィックス（Ｃｙｃｌｉｃ  Ｐｒｅｆｉｘ、ＣＰ）の部分と長さTseqのアクセス・シーケンス（Ｓｅｑｕｅｎｃｅ、ＳＥＱ）の部分である。さらに、表１に示すように、様々なフォーマットのプリアンブルのパラメータ設定を様々なセル半径にマッチさせることができる。
【０００４】
【表１】
2015530013.tif 000003
【０００５】
ここでTsはＬＴＥプロトコルにおける基本時間単位で、Ts=1/(15000*2048)sである。
【０００６】
先行技術では、１５乃至１２０ｋｍ／ｈの高速移動シナリオでも比較的高い性能が依然として実現され１２０乃至３５０ｋｍ／ｈの高速移動シナリオでも接続を依然として維持できるように、０乃至１５ｋｍ／ｈの低速シナリオがＬＴＥシステムにより最適化されている。既存のＬＴＥプロトコルでは、２つのセル構成、即ち、制限されていないセル構成と制限されたセル構成がサポートされている。制限されていないセルは（例えば、周波数変動が６００Ｈｚ未満である）低周波数変動シナリオに適用され、制限されたセルは（例えば、当該周波数変動が６００Ｈｚを超える）高周波数変動シナリオに適用される。制限されたセルに関して、ＵＥが送信したランダム・アクセス信号がＺＣシーケンス（Ｚａｄｏｆｆ−Ｃｈｕ  Ｓｅｑｕｅｎｃｅ）をランダム・アクセス・シーケンスとして使用するときには、発展型基地局（ｅｖｏｌｖｅｄ  Ｎｏｄｅ  Ｂ、ＮｏｄｅＢまたはｅＮＢまたはｅ−ＮｏｄｅＢ）により、ΔfＲＡを当該ランダム・アクセス・チャネルのサブキャリアを表すとして、周波数変動範囲
【０００７】
【数１】
2015530013.tif 000004
【０００８】
においてラウンド・トリップ遅延（Ｒｏｕｎｄ  Ｔｒｉｐ  Ｄｅｌａｙ、ＲＴＤ）が正確に検出されることを保証でき、ＵＥは、当該ＲＴＤに従ってタイミング・アドバンス（Ｔｉｍｉｎｇ  Ａｄｖａｎｃｅ、ＴＡ）を調節する。これにより、メッセージの送信タイミングを調節し、ＵＥが正常にネットワークにアクセスできることが保証される。
【０００９】
通信技術の発展とユーザの通信要求の増大とともに、運用者は、超高速の移動シナリオと高周波数帯の高速鉄道シナリオにおけるカバレッジの要件に想到した。この２つのシナリオでは、ランダム・アクセス信号の周波数変動は大きく、
【００１０】
【数２】
2015530013.tif 000005
【００１１】
であり、Ｗ≧５である。
【発明の概要】
【発明が解決しようとする課題】
【００１２】
ｅＮＢが高周波数変動のもとでＲＴＤ検出の正確性を保証するのは非常に困難である。その結果、ＵＥがネットワークに正常にアクセスするのを保証するのは非常に困難であり、これが当該ネットワークのアクセス性能に影響を及ぼす。
【課題を解決するための手段】
【００１３】
本発明の諸実施形態では、超高速ランダム・アクセスを処理するための方法、装置およびシステムを提供して、超高速移動シナリオにおいてユーザ機器が正常にネットワークにアクセスできるようにして、当該ネットワークのアクセス性能を高める。
【００１４】
本発明の１態様では超高速ランダム・アクセスを処理するための方法を提供する。当該方法は、ＺＣシーケンス・グループをセル・タイプと第１の循環シフトパラメータＮｃｓに従って選択するステップと、当該ＺＣシーケンス・グループ内のＺＣシーケンスごとにＮ個の検出ウィンドウを設定するステップであって、Ｎ≧５であるステップと、ＵＥがランダム・アクセス・シーケンスを当該ＺＣシーケンス・グループから選択するように、当該セル・タイプ、第２のＮｃｓ、および当該ＺＣシーケンス・グループをユーザ機器ＵＥに送信するステップと、ＵＥにより送信されたランダム・アクセス信号を受信し、当該ランダム・アクセス・シーケンスを当該ランダム・アクセス信号から取得するステップと、当該ＺＣシーケンス・グループ内の各ＺＣシーケンスを用いて当該ランダム・アクセス・シーケンスに相関関係処理を実施し、各ＺＣシーケンスの当該Ｎ個の検出ウィンドウ内の有効ピーク値を検出し、ラウンド・トリップ遅延ＲＴＤの推定値を当該有効ピーク値に従って決定するステップとを含む。
【００１５】
本発明の別の態様では超高速ランダム・アクセスを処理するための装置を提供する。当該装置は、ＺＣシーケンス・グループをセル・タイプと第１の循環シフトパラメータＮｃｓに従って設定するように構成された選択ユニットと、当該選択ユニットにより選択されたＺＣシーケンス・グループ内のＺＣシーケンスごとにＮ個の検出ウィンドウを設定するように構成された設定ユニットであって、Ｎ≧５である設定ユニットと、ＵＥがランダム・アクセス・シーケンスを当該ＺＣシーケンス・グループから選択するように、当該セル・タイプ、第２のＮｃｓ、および当該選択ユニットにより選択されたＺＣシーケンス・グループをユーザ機器ＵＥに送信するように構成された送信ユニットと、ＵＥにより送信されたランダム・アクセス信号を受信し、当該ランダム・アクセス・シーケンスを当該ランダム・アクセス信号から取得するように構成された受信ユニットと、当該ＺＣシーケンス・グループ内の各ＺＣシーケンスを用いて当該受信ユニットにより取得されたランダム・アクセス・シーケンスに相関関係処理を実施し、ＺＣシーケンスごとに当該設定ユニットにより設定されたＮ個の検出ウィンドウ内の有効ピーク値を検出し、ラウンド・トリップ遅延ＲＴＤの推定値を当該有効ピーク値に従って決定するように構成された検出ユニットとを備える。
【００１６】
以上の技術的解決策から、本発明の諸実施形態を用いることによって、ＺＣシーケンス・グループがセル・タイプと第１の循環シフトパラメータＮｃｓに従って選択され、Ｎ≧５としてＮ個の検出ウィンドウが当該ＺＣシーケンス・グループ内のＺＣシーケンスごとに設定され、当該ＲＴＤの推定値が、各ＺＣシーケンスの当該Ｎ個の検出ウィンドウで検出された有効ピーク値に従って決定されることが分かる。このように、ランダム・アクセス信号のＲＴＤを超高速シナリオで正確に検出できないという問題が解決され、超高速で移動しているユーザ機器が検出されたＲＴＤに従ってＴＡ値を正確に調節でき、したがってメッセージ送信タイミングが正確に調節され、超高速シナリオにおいてユーザ機器が正常にネットワークにアクセスでき、それにより当該ネットワークのアクセス性能が高まることが保証される。
【００１７】
本発明諸実施形態の技術的解決策をより明確に説明するために、以下では当該諸実施形態を説明するための添付図面を簡単に説明する。明らかに、以下の説明における添付図面は本発明の諸実施形態の一部を示し、当業者は創造的作業なしにこれらの添付図面から他の図面を導出することができる。
【図面の簡単な説明】
【００１８】
【図１】本発明の１実施形態に従う超高速ランダム・アクセスを処理するための方法の流れ図である。
【図２】本発明の１実施形態に従う超高速ランダム・アクセスを処理するための別の方法の流れ図である。
【図３】本発明の１実施形態に従う、検出ウィンドウにおける周波数変動を伴う有効ピーク値の変化を示す略図である。
【図４】本発明の１実施形態に従う超高速ランダム・アクセスを処理するための別の方法の流れ図である。
【図５】本発明の１実施形態に従って超高速ランダム・アクセスを処理するためのさらに別の方法の流れ図である。
【図６】本発明の１実施形態に従う、有効ピーク値と検出ウィンドウ間の重複との間の位置関係の略図である。
【図７】本発明の１実施形態に従う超高速ランダム・アクセスを処理するための装置の略構造図である。
【発明を実施するための形態】
【００１９】
以下では本発明の諸実施形態の添付図面を参照して本発明の諸実施形態の技術的解決策を明確かつ十分に説明する。明らかに、説明する以下の諸実施形態は本発明の諸実施形態の全部ではなく一部にすぎない。当業者が本発明の諸実施形態に基づいて創造的作業なしに取得した他の全ての実施形態は本発明の保護範囲に入るものとする。
【００２０】
図１に示すように、本発明の１実施形態に従って超高速ランダム・アクセスを処理するための方法を具体的に以下のように説明する。
【００２１】
１０１では、セル・タイプと第１の循環シフト（Ｃｙｃｌｉｃ  ｓｈｉｆｔ）パラメータＮｃｓに従ってＺＣシーケンス・グループを選択し、当該ＺＣシーケンス・グループ内のＺＣシーケンスごとにＮ個の検出ウィンドウを設定する。ここで、Ｎ≧５である。
【００２２】
当該セル・タイプは、制限されていないセルと制限されたセルを含み、適用シナリオに従って構成することができる。例えば、当該セル・タイプを、低速シナリオに対して制限されていないセルで構成し、高速シナリオに対して制限されたセルで構成してもよい。
【００２３】
当該第１のＮｃｓを用いて、セル・カバレッジ範囲、即ち、セル・カバレッジ半径を表す。当該第１のＮｃｓが大きくなると、セル・カバレッジ範囲が広くなる。当該第１のＮｃｓの構成は先行技術に属し、したがってここではさらに説明することはしない。
【００２４】
当該ＺＣシーケンス・グループは、Ｍ≦６４として、Ｍ個のＺＣルート・シーケンスを含む。３ＧＰＰ  ＴＳ３６．２１１プロトコルでは、全部で８３８個のＺＣルート・シーケンスが定義されている。当該ＺＣシーケンス・グループが高々６４個のＺＣルート・シーケンスを含んでもよい。
【００２５】
当該ＺＣシーケンス・グループ内のＺＣシーケンスごとにＮ個の検出ウィンドウを設定するステップが特に以下のステップを含んでもよい。先ず、当該ＺＣシーケンス・グループ内のｉ番目のＺＣシーケンスのｄｕＨＴ値を取得する。
【００２６】
周波数変動が
【００２７】
【数３】
2015530013.tif 000006
【００２８】
であるとき、ｉ番目のＺＣシーケンスのｄｕＨＴ値は、ｉ番目のＺＣシーケンスの電力遅延プロフィールＰＤＰにおける鏡像画像ピークのＲＴＤに対するシフトを指し、ＴＳＥＱはｉ番目のＺＣシーケンスが占める時間間隔であり、ｉの値は［１、Ｍ］の中の任意の整数である。当該ｄｕＨＴ値を方式Ａ１または方式Ａ２を用いて取得してもよい。
【００２９】
方式Ａ１では、当該値は式１に従う計算により得られる。式１は具体的には以下の通りである。
【００３０】
【数４】
2015530013.tif 000007
【００３１】
ここで、ｐは（ｐ・ｕ） ｍｏｄ Ｎｚｃ＝１であるとき最小の非負整数であり、ｕは当該ＺＣシーケンスの物理ルート・シーケンス数であり、Ｎｚｃは当該ＺＣシーケンスの長さであり、Ｎｚｃは８３９または１３９であってもよい。Ｎｚｃが固定値であるとき、ｐはｕの値によって決まる。次に、上の式１に従って、当該ｄｕＨＴをｕの値によって決定する。
【００３２】
例えば、Ｎｚｃ＝８３９である場合には、物理ルート・シーケンス数ｕ＝３、（ｐ・３） ｍｏｄ ８３９＝１、ｐ＝２８０であるとき、ｄｕＨＴ＝−２８０を式１に従って得ることができ、物理ルート・シーケンス数ｕ＝８３６、（ｐ・８３６） ｍｏｄ ８３９＝１、ｐ＝１１１９であるとき、ｄｕＨＴ＝２８０を式１に従って得ることができる。方式Ａ２では、当該値は表２または表３を参照することで得られる。
【００３３】
表２は、Ｎｚｃ＝８３９であるときのｄｕＨＴ（ｕ）値を列挙する。ｕ＝１，・・・，４１９である。ｕ＝４２０，・・・，８３８であるとき、式ｄｕＨＴ（Ｎｚｃ−ｕ）＝−ｄｕＨＴ（ｕ）、ｕ＝１，・・・，４１９を用いてｄｕＨＴ（ｕ）値を得ることができる。例えば、物理ルート・シーケンス数ｕ＝３であるとき、表２を参照することで、ｄｕＨＴ＝−２８０が得られ、ｕ＝４５０であるとき、Ｎｚｃ−ｕ＝８３９−４５０＝３８９である。ｕ’＝３８９とすると、ｄｕＨＴ（Ｎｚｃ−ｕ’）＝−ｄｕＨＴ（ｕ’）＝−ｄｕＨＴ（３８９）＝１１０である。
【００３４】
【表２】
2015530013.tif 000008
2015530013.tif 000009
【００３５】
表３は、Ｎｚｃ＝１３９であるときのｄｕＨＴ（ｕ）値を列挙する。ｕ＝１，・・・，６９である。ｕ＝７０，・・・，１３８であるとき、ｄｕＨＴ（Ｎｚｃ−ｕ）＝−ｄｕＨＴ（ｕ）、ｕ＝１，・・・，６９を用いてｄｕＨＴ（ｕ）値を得ることができる。
【００３６】
【表３】
2015530013.tif 000010
【００３７】
次に、ｉ番目のＺＣシーケンスのＮ個の検出ウィンドウの開始位置をｉ番目のＺＣシーケンスのｄｕＨＴ値に従って決定する。
【００３８】
検出ウィンドウの数Ｎを、周波数変動範囲に従って基地局内部で予め設定してもよく、または、操作コンソールおよび保守コンソールにより基地局に対して動的に構成してもよい。例えば、１実施形態として、当該周波数変動範囲が
【００３９】
【数５】
2015530013.tif 000011
【００４０】
であるとき、ＺＣシーケンスの検出ウィンドウの数を５と構成してもよいが、当該ＺＣシーケンスの検出ウィンドウの数を５より大きく構成してもよい。当該周波数変動範囲が
【００４１】
【数６】
2015530013.tif 000012
【００４２】
でありＷ＞５であるとき、当該ＺＣシーケンスの検出ウィンドウの数ＮをＷと構成してもよく、当該ＺＣシーケンスの検出ウィンドウの数ＮをＷより大きく構成してもよい。
【００４３】
最後に、ｉ番目のＺＣシーケンスのＮ個の検出ウィンドウを、ｉ番目のＺＣシーケンスの当該Ｎ個の検出ウィンドウの開始位置と検出ウィンドウの事前設定サイズに従って設定する。
【００４４】
検出ウィンドウの大きさをセル半径に従って予め設定してもよく、当該ウィンドウのサイズは当該セル半径に対応するＲＴＤを下回らない。例えば、当該セル半径に対応するＲＴＤに基づいて、当該検出ウィンドウをマルチパス遅延に従って拡張してもよい。
【００４５】
１０２では、ＵＥがランダム・アクセス・シーケンスをＺＣシーケンス・グループから選択するように、セル・タイプ、第２のＮｃｓ、および当該ＺＣシーケンス・グループをユーザ機器ＵＥに送信する。
【００４６】
当該第２のＮｃｓは、ＵＥが当該ＺＣシーケンス・グループ内のＺＣルート・シーケンスをランダム・アクセス・シーケンスとして使用するのを保証できるインデックス値を指す。例えば、以下の２つの構成方式を使用してもよい。
【００４７】
方式１：当該セル・タイプが制限されていないセル（または低速セル）に対して構成されているとき、当該第２のＮｃｓインデックスは０である。
方式２：当該セル・タイプが制限されたセル（または高速セル）に対して構成されているとき、当該第２のＮｃｓインデックスは１４である。
【００４８】
方式２では、当該第２のＮｃｓインデックスは１４に限定されず、ＺＣシーケンスのＮ個の検出ウィンドウの重複可能性を減らすために、ＵＥが当該ＺＣシーケンスをランダム・アクセス・シーケンスとして使用できるようにする他の任意のインデックスであってもよい。当該第２のＮｃｓを基地局内部で設定してもよく、または、基地局内部の構成されたセル・タイプに従って決定してもよく、または、表を参照することで取得してもよく、システムメッセージでＵＥに送信される。
【００４９】
ステップ１０１での第１のＮｃｓはセル・カバレッジ範囲に従って設定され、当該セル・カバレッジ半径を反映することに留意されたい。ステップ１０２での第２のＮｃｓはＵＥに送信されるためだけに使用される。その結果、ＵＥは、循環的にシフトするＺＣシーケンスを当該ランダム・アクセス・シーケンスとして使用するのではなく、当該ＺＣシーケンス・グループ内のＺＣルート・シーケンスを当該ランダム・アクセス・シーケンスとして使用し、これにより、当該Ｎ個の検出ウィンドウの重複可能性を減らすことができる。ステップ１０１で当該第１のＮｃｓのインデックス値が、循環的にシフトしないＺＣシーケンスをＵＥが当該ランダム・アクセス・シーケンスとして使用できるようにする条件を満たす場合には、当該第１のＮｃｓと当該第２のＮｃｓが同じであってもよい。
【００５０】
当該ＺＣシーケンス・グループ内の部分ＺＣシーケンスは競合アクセスに使用され、部分ＺＣシーケンスは競合無しのアクセスに使用される。競合アクセスに関して、ＵＥは、当該ＺＣシーケンス・グループ内の競合アクセスに使用されるＺＣシーケンスから１つのＺＣシーケンスを当該ランダム・アクセス・シーケンスとしてランダムに選択する。競合無しアクセスに関しては、基地局が、ＺＣシーケンス・グループ内のどのＺＣシーケンスをランダム・アクセス・シーケンスとして使用すべきかをＵＥに対して示す。
【００５１】
１０３では、ＵＥにより送信されたランダム・アクセス信号を受信し、ランダム・アクセス・シーケンスを当該ランダム・アクセス信号から取得する。
【００５２】
１０４では、当該ＺＣシーケンス・グループ内の各ＺＣシーケンスを用いて当該ランダム・アクセス・シーケンスに相関関係処理（ｃｏｒｒｅｌａｔｉｏｎ）を行い、各ＺＣシーケンスのＮ個の検出ウィンドウにおいて有効ピーク値を検出し、ラウンド・トリップ遅延ＲＴＤの推定値を当該有効ピーク値に従って決定する。
【００５３】
当該有効ピーク値は、各検出ウィンドウ内の最大ピーク値と各検出ウィンドウ内の当該最大ピーク値の位置を決定することで得られ、具体的には以下のように説明される。
【００５４】
１つの最大ピーク値のみが検出閾値より大きいとき、当該検出閾値より大きいピーク値を有効ピーク値として選択する。当該有効ピーク値を一次ピーク値と称してもよい。
【００５５】
３つ以上の最大ピーク値が当該検出閾値より大きいときは、当該２つの最大ピーク値の絶対位置が重複するかどうかを判定する。当該絶対位置が重複しない場合には、当該２つの最大ピーク値を有効ピーク値として選択する。当該２つの有効ピーク値のうち大きい有効ピーク値を一次ピーク値と称し、当該２つの有効ピーク値のうち小さい有効ピーク値を二次ピーク値と称する。当該絶対位置が重複する場合、当該２つの最大ピーク値は同一のピーク値であり、当該一次ピーク値として使用され、当該一次ピーク値が存在する検出ウィンドウの周波数変動プラス１または当該周波数変動マイナス１のＲＡＣＨサブキャリアの間隔に対応する検出ウィンドウで検出された検出閾値より大きい最大ピーク値は二次ピーク値である。
【００５６】
当該検出閾値を、不連続送信の下での誤り検出性能要件に従って設定してもよい。当該ＲＴＤの推定値は、有効ピーク値が存在する検出ウィンドウの開始位置に対する当該有効ピーク値の変動である。当該有効ピーク値が存在する検出ウィンドウの開始位置がＺＣシーケンスのｄｕＨＴ値に従って決定された開始位置に基づいてシフトする場合には、当該ＲＴＤの推定値を、有効ピーク値が存在する検出ウィンドウの開始位置に対する当該有効ピーク値の変動値、シフト方向およびシフト標本点に従って取得してもよく、具体的には以下のように説明される。
【００５７】
当該有効ピーク値が存在する検出ウィンドウの開始位置が予め設定した標本点だけ左にシフトすると仮定すると、当該ＲＴＤの推定値は、当該有効ピーク値が存在する検出ウィンドウの開始位置に対する当該有効ピーク値の変動値から予め設定した標本点の数を引いたものである。当該有効ピーク値が存在する検出ウィンドウの開始位置が予め設定した標本点だけ右にシフトすると仮定すると、当該ＲＴＤの推定値は、当該有効ピーク値が存在する検出ウィンドウの開始位置に対する当該有効ピーク値の変動値に予め設定した標本点の数を足したものである。
【００５８】
前述の実施形態で提供した超高速ランダム・アクセスを処理するための方法を用いることで、ランダム・アクセス信号のＲＴＤを超高速シナリオで正確に検出できないという問題が解決され、超高速で移動しているユーザ機器が検出されたＲＴＤに従ってＴＡ値を正確に調節でき、したがってメッセージ送信タイミングが正確に調節され、超高速シナリオにおいてユーザ機器が正常にネットワークにアクセスでき、それにより当該ネットワークのアクセス性能が高まることが保証される。
【００５９】
図２に示すように、本発明の１実施形態に従う超高速ランダム・アクセスを処理するための方法を具体的に以下のように説明する。ここで、超高速ランダム・アクセスの周波数変動範囲が
【００６０】
【数７】
2015530013.tif 000013
【００６１】
Ｎ個の検出ウィンドウがＺＣシーケンス・グループ内のＺＣシーケンスごとに設定され、Ｎ＝５である。２０１で、セル・タイプと第１のＮｃｓに従ってＺＣシーケンス・グループを選択する。当該セル・タイプおよび当該第１のＮｃｓならびに当該ＺＣシーケンス・グループの関連説明については、ステップ１０１を参照されたい。
【００６２】
セル・タイプと第１のＮｃｓに従ってＺＣシーケンス・グループを選択するステップは具体的には以下の通りである。
【００６３】
Ｂ１で、当該ＺＣシーケンス・グループを当該セル・タイプと当該第１のＮｃｓに従って選択する。
Ｂ２で、当該ＺＣシーケンス・グループ内の各ＺＣシーケンスのｄｕＨＴ値が条件
【００６４】
【数８】
2015530013.tif 000014
【００６５】
を満たすかどうかを判定する。ここで、Ｎｚｃは各ＺＣシーケンスの長さであり、Ｎｃｓは当該第１のＮｃｓを指し、当該ＺＣシーケンス・グループ内の少なくとも１つのＺＣシーケンスのｄｕＨＴ値が当該条件を満たさない場合にはステップＢ１に戻り、当該ＺＣシーケンス・グループ内のＺＣシーケンスのｄｕＨＴ値が全て当該条件を満たす場合、当該ＺＣシーケンス・グループをユーザ機器に送信する。当該ｄｕＨＴ値を取得する方式については、ステップ１０１における関連説明を参照されたい。
【００６６】
選択されたＺＣシーケンス・グループ内の各ＺＣシーケンスのｄｕＨＴ値が条件
【００６７】
【数９】
2015530013.tif 000015
【００６８】
を満たすとき、各ＺＣシーケンスのｄｕＨＴ値に従って設定された５個の検出ウィンドウが重複せず、ＲＴＤ推定の正確性が高まることに留意されたい。 
【００６９】
例えば、当該セル・タイプが制限されたセルであり、セル半径に従って設定された第１のＮｃｓが１５であり、選択されたＺＣシーケンス・グループが６４個のＺＣシーケンスを含み、ＺＣシーケンスの長さが８３９であると仮定すると、セル・タイプと第１のＮｃｓに従ってＺＣシーケンス・グループを選択するための方法は以下のように例を用いて説明される。
【００７０】
先ず、当該６４個のＺＣシーケンスの論理ルート・シーケンス数を当該セル・タイプと当該第１のＮｃｓに従って選択する。
【００７１】
表４は、制限されたセルのＮｃｓ値と論理ルート・シーケンス数の対応表である。第１の列は値が１５である２つのＮｃｓ値を含み、値が１５である最初のＮｃｓに対応する最初の論理ルート・シーケンス数は２４であり、値が１５である２番目のＮｃｓに対応する２番目の論理ルート・シーケンス数は８１９である。したがって、当該第１のＮｃｓが１５であるとき、利用可能な論理ルート・シーケンス数は［２４、８１９］である。
【００７２】
【表４】
2015530013.tif 000016
【００７３】
次に、当該６４個のＺＣシーケンスの物理ルート・シーケンス数を、論理ルート・シーケンス数と物理ルート・シーケンス数の対応表に従って取得する。
【００７４】
表５は、部分的な論理ルート・シーケンス数と部分ｖ物理ルート・シーケンス数の対応を提供する。
【００７５】
【表５】
2015530013.tif 000017
2015530013.tif 000018
【００７６】
選択された論理ルート・シーケンス数が３８４である場合には、当該６４個のＺＣシーケンスの物理ルート・シーケンス数を、３、８３６、１９、８２０、２２、８１７、４１、７９８、３８、８０１、４４、７９５、５２、７８７、４５、７９４、６３、７７６、６７、７７２、７２、７６７、７６、７６３、９４、７４５、１０２、７３７、９０、７４９、１０９、７３０、１６５、６７４、１１１、７２８、２０９、６３０、２０４、６３５、１１７、７２２、１８８、６５１、１５９、６８０、１９８、６４１、１１３、７２６、１８３、６５６、１８０、６５９、１７７、６６２、１９６、６４３、１５５、６８４、２１４、６２５、１２６、７１３のように、表５の論理ルート・シーケンス数と物理ルート・シーケンス数の対応に従って取得してもよい。次に、当該６４個のＺＣシーケンスのｄｕＨＴ値を取得する。
【００７７】
ステップ１０１でのｄｕＨＴの関連説明と取得方法によれば、物理ルート・シーケンス数がｕ＝３であるとき、ｄｕＨＴ＝−２８０であり、物理ルート・シーケンス数がｕ＝８３６であるとき、ｄｕＨＴ＝２８０であり、物理ルート・シーケンス数がｕ＝１９であるとき、ｄｕＨＴ＝２６５である等であることが得られる。
【００７８】
最後に、当該選択された６４個のＺＣシーケンスのｄｕＨＴ値が全て条件
【００７９】
【数１０】
2015530013.tif 000019
【００８０】
を満たすかどうかを判定する。当該条件が満たされない場合には、当該ＺＣシーケンス・グループを再選択する。当該第１のＮｃｓとＮｚｃに従って計算することで
【００８１】
【数１１】
2015530013.tif 000020
【００８２】
を解く。当該選択された６４個のＺＣシーケンスでは、物理ルート・シーケンス数が３および８３６であるとき、当該ｄｕＨＴ値は当該ｄｕＨＴ値の条件を満たさない。したがって、６４個のＺＣシーケンスを当該ＺＣシーケンス・グループの選択ステップに従って再選択する。
【００８３】
再選択された６４個のＺＣシーケンスの物理ルート・シーケンス数が、５６、７８３、１１２、７２７、１４８、６９１、８０、７５９、４２、７９７、４０、７９９、３５、８０４、７３、７６６、１４６、６９３、３１、８０８、２８、８１１、３０、８０９、２９、８１０、２７、８１２、２４、８１５、４８、７９１、６８、７７１、７４、７６５、１７８、６６１、１３６、７０３、８６、７５３、７８、７６１、４３、７９６、３９、８００、２０、８１９、２１、８１８、９５、７４４、２０２、６３７、１９０、６４９、１８１、６５８、１３７、７０２、１２５、７１４であると仮定し、ｄｕＨＴ値を取得し、再選択された６４個のＺＣシーケンスのｄｕＨＴ値が当該ｄｕＨＴ条件を満たすと判定する。
【００８４】
２０２では、当該ＺＣシーケンス・グループ内のＺＣシーケンスごとにＮ個の検出ウィンドウを設定する。ここで、Ｎ＝５である。
【００８５】
当該ＺＣシーケンス・グループがＭ個のＺＣシーケンスを含むとき、Ｎ＝５として当該ＺＣシーケンス・グループ内のＺＣシーケンスごとにＮ個の検出ウィンドウを設定するステップは具体的には以下のように説明される。
【００８６】
Ｃ１で、当該ＺＣシーケンス・グループ内のｉ番目のＺＣシーケンスのｄｕＨＴ値を取得する。周波数変動が
【００８７】
【数１２】
2015530013.tif 000021
【００８８】
であるとき、ｉ番目のＺＣシーケンスのｄｕＨＴ値は、ｉ番目のＺＣシーケンスの電力遅延プロフィールＰＤＰにおける鏡像画像ピークのＲＴＤに対するシフトを指し、ＴＳＥＱはｉ番目のＺＣシーケンスが占める時間間隔であり、ｉの値は［１、Ｍ］の中の任意の整数である。
【００８９】
Ｃ２では、ｉ番目のＺＣシーケンスの５個の検出ウィンドウをｉ番目のＺＣシーケンスのｄｕＨＴ値に従って設定する。先ず、ｉ番目のＺＣシーケンスの５個の検出ウィンドウの開始位置をｉ番目のＺＣシーケンスのｄｕＨＴ値に従って取得する。ｉ番目のＺＣシーケンスの５個の検出ウィンドウはそれぞれ、検出ウィンドウ（１）、検出ウィンドウ（２）、検出ウィンドウ（３）、検出ウィンドウ（４）および検出ウィンドウ（５）である。当該５個の検出ウィンドウ（１）、（２）、（３）、（４）および（５）はそれぞれ、周波数変動０、−ΔｆＲＡ、＋ΔｆＲＡ、−２ΔｆＲＡ、および２ΔｆＲＡに対応する。その詳細は以下の通りである。即ち、検出ウィンドウ（１）の開始位置は０であり、検出ウィンドウ（２）の開始位置はｍｏｄ（ｄｕＨＴ、Ｎｚｃ）であり、検出ウィンドウ（３）の開始位置はｍｏｄ（−ｄｕＨＴ、Ｎｚｃ）であり、検出ウィンドウ（４）の開始位置はｍｏｄ（２＊ｄｕＨＴ、Ｎｚｃ）であり、検出ウィンドウ（５）の開始位置はｍｏｄ（−２＊ｄｕＨＴ、Ｎｚｃ）である。ｍｏｄ（ｄｕＨＴ、Ｎｚｃ）とはｄｕＨＴをＮｚｃで除した余りを意味し、Ｎｚｃはｉ番目のＺＣシーケンスの長さである。当該ｄｕＨＴ値を取得する方式については、ステップ１０１を参照されたい。
【００９０】
次いで、ｉ番目のＺＣシーケンスの５個の検出ウィンドウを、当該５個の検出ウィンドウの開始位置と検出ウィンドウの事前設定サイズに従って設定する。
【００９１】
当該検出ウィンドウの大きさは、ステップ１０１における関連説明と一貫している。当該検出ウィンドウの開始位置を予め設定した標本点に従ってシフトし、ＵＥによる前後のランダム・アクセス信号の送信に対応してもよい。
【００９２】
２０３では、ＵＥがランダム・アクセス・シーケンスをＺＣシーケンス・グループから選択するように、セル・タイプ、第２のＮｃｓ、および当該ＺＣシーケンス・グループをＵＥに送信する。第２のＮｃｓの関連説明については、ステップ１０２を参照されたい。
【００９３】
２０４では、ＵＥにより送信されたランダム・アクセス信号を受信し、ランダム・アクセス・シーケンスを当該ランダム・アクセス信号から取得する。
【００９４】
２０５では、当該ＺＣシーケンス・グループ内の各ＺＣシーケンスにより当該ランダム・アクセス・シーケンスに相関関係処理を行い、各ＺＣシーケンスの５個の検出ウィンドウで有効ピーク値を検出し、ＲＴＤの推定値を当該有効ピーク値に従って決定する。
【００９５】
当該有効ピーク値と当該ＲＴＤの推定値はステップ１０４における関連説明と一貫している。
【００９６】
当該ＲＴＤを当該有効ピーク値に従って決定するステップを、以下のように２つの方法を用いて取得してもよい。
【００９７】
方法（１）：当該ＲＴＤの推定値を、一次ピーク値検出ウィンドウの開始位置に対する当該一次ピーク値の変動に従って直接取得する。
方法（２）：少なくとも２つの検出ウィンドウのデータを、新たな有効ピーク値を得るための予め設定された原理に従って選択およびマージし、当該ＲＴＤを推定する。
【００９８】
方法（２）では、当該予め設定された原理に従って、当該一次ピーク値の両側での検出ウィンドウをマージしてもよく、または、当該一次ピーク値が存在する検出ウィンドウと二次ピーク値が存在する検出ウィンドウをマージしてもよく、または、全ての検出ウィンドウをマージしてもよい。検出ウィンドウがマージされるので、有効ピーク値の検出閾値がそれに応じて増大する。したがって、新たな有効ピーク値を取得することができ、当該ＲＴＤを、取得した新たな有効値に従って推定することができる。
【００９９】
２０６では、当該有効ピーク値が存在する検出ウィンドウに従って周波数変動を推定する。当該周波数変動の推定値はＵＥのアップリンク信号の変動を是正し、ＵＥが送信したＭｅｓｓａｇｅ３メッセージをを復調するために使用される。当該Ｍｅｓｓａｇｅ３は、ＵＥの識別子を保持する。
【０１００】
図３は、検出ウィンドウにおける周波数変動を伴う有効ピーク値の変化を示す略図である。当該有効ピーク値が存在する検出ウィンドウに従って周波数変動を推定するステップは特に以下のように３つのケースを含む。 
【０１０１】
ケース１：２つの有効ピーク値が存在するとき、一次ピーク値が検出ウィンドウ（１）に存在し、二次ピーク値が検出ウィンドウ（３）に存在する場合には、図３に示すように、ＵＥのアップリンク信号の周波数変動を、当該周波数変動とともに変化する各ウィンドウ内のピーク値の略図に従って、０から
【０１０２】
【数１３】
2015530013.tif 000022
【０１０３】
の範囲内の値と推定してもよい。最大ピーク値が検出ウィンドウ（３）にあり、２番目の最大ピーク値が検出ウィンドウ（５）である場合、ＵＥのアップリンク信号の周波数変動は
【０１０４】
【数１４】
2015530013.tif 000023
【０１０５】
の範囲内の値と推定される等である。
【０１０６】
ケース２：２つの有効ピーク値が近接して存在し、一方が検出ウィンドウ（１）に存在し、他方が検出ウィンドウ（３）に存在する場合には、ＵＥのアップリンク信号の周波数変動は大よそ
【０１０７】
【数１５】
2015530013.tif 000024
【０１０８】
と推定され、２つの有効ピーク値が近接して存在し、一方が検出ウィンドウ（３）に存在し、他方が検出ウィンドウ（５）に存在する場合には、ＵＥのアップリンク信号の周波数変動は大よそ
【０１０９】
【数１６】
2015530013.tif 000025
【０１１０】
と推定される等である。
【０１１１】
ケース３：１つの有効ピーク値が検出ウィンドウ（１）に存在する場合には、ＵＥのアップリンク信号の周波数変動は０と推定され、１つの有効ピーク値が検出ウィンドウ（２）に存在する場合には、ＵＥのアップリンク信号の周波数変動は−ΔｆＲＡと推定され、１つの有効ピーク値が検出ウィンドウ（４）に存在する場合には、ＵＥのアップリンク信号の周波数変動は−２ΔｆＲＡと推定される等である。
【０１１２】
ステップ２０５は任意であることに留意されたい。具体的には、当該周波数変動は推定されない。その代り、Ｍｅｓｓａｇｅ３は、周波数変動範囲に従って段階的に復調される。例えば、当該周波数変動範囲が［−３ＫＨｚ、３ＫＨｚ］であるとき、復調を６段階で実施してもよい。ここで、１ＫＨｚが１つの段階である。
【０１１３】
前述の実施形態で提供した超高速ランダム・アクセスを処理するための方法では、ＺＣシーケンス・グループがセル・タイプと第１のＮｃｓに従って選択され、当該ＺＣシーケンス・グループ内のＺＣシーケンスのｄｕＨＴ値が条件
【０１１４】
【数１７】
2015530013.tif 000026
【０１１５】
を満たすことが保証され、Ｎ＝５として、Ｎ個の非重複検出ウィンドウが、当該ＺＣシーケンス・グループ内の各ＺＣシーケンスのｄｕＨＴ値に従って当該ＺＣシーケンス・グループ内のＺＣシーケンスごとに設定され、当該非重複部分検出ウィンドウにおいて有効ピーク値が検出され、ラウンド・トリップ遅延が決定される。このように、当該周波数変動範囲が
【０１１６】
【数１８】
2015530013.tif 000027
【０１１７】
である超高速シナリオにおいてＵＥがネットワークにアクセスする問題が解決されるだけでなく、当該ＲＴＤの推定値の正確性も高まる。
【０１１８】
図４に示すように、本発明の１実施形態に従って超高速ランダム・アクセスを処理するための方法を具体的に以下のように説明する。ここで、当該超高速ランダム・アクセスの周波数変動範囲が
【０１１９】
【数１９】
2015530013.tif 000028
【０１２０】
であるとき、Ｎ＝５として、Ｎ個の検出ウィンドウがＺＣシーケンス・グループ内のＺＣシーケンスごとに設定される。４０１では、セル・タイプと第１のＮｃｓに従ってＺＣシーケンス・グループを選択する。当該セル・タイプは制限されたセルであり、当該第１のＮｃｓは当該制限されたセルのカバレッジ範囲を表す。当該ＺＣシーケンス・グループの選択結果を先行技術における制限されたセルのルート・シーケンスに関する選択原理に従って得ることができ、したがってここではさらに説明することはしない。
【０１２１】
４０２では、当該ＺＣシーケンス・グループ内のＺＣシーケンスごとにＮ個の検出ウィンドウを設定する。ここで、Ｎ＝５である。当該ＺＣシーケンス・グループ内のＺＣシーケンスごとにＮ個の検出ウィンドウを設定するステップの関連説明については、ステップ２０２を参照されたい。
【０１２２】
４０３では、ＵＥがランダム・アクセス・シーケンスを当該ＺＣシーケンス・グループから選択するように、当該セル・タイプ、第２のＮｃｓ、および当該ＺＣシーケンス・グループをＵＥに送信する。第２のＮｃｓの関連説明については、ステップ１０２を参照されたい。
【０１２３】
４０４では、ＵＥにより送信されたランダム・アクセス信号を受信し、ランダム・アクセス・シーケンスを当該ランダム・アクセス信号から取得する。
【０１２４】
４０５では、当該ＺＣシーケンス・グループ内の各ＺＣシーケンスにより当該ランダム・アクセス・シーケンスに相関関係処理を行い、各ＺＣシーケンスの５個の検出ウィンドウで一次ピーク値を検出し、当該一次ピーク値に従って二次ピーク値に対する検索ウィンドウを決定する。
【０１２５】
各ＺＣシーケンスの当該５個の検出ウィンドウの各々において１つの最大ピーク値を検索し、当該５個の最大ピーク値内の２つの最大ピーク値の絶対位置が重複するかどうかを判定する。当該絶対位置が重複しない場合には、当該２つの最大ピーク値のうち大きいピーク値を一次ピーク値として選択する。当該絶対位置が重複する場合には、当該２つの最大ピーク値が存在するウィンドウを当該一次ピーク値が存在するウィンドウとして選択する。例えば、当該一次ピーク値が２つの検出ウィンドウの重複部分に現れるときには、当該一次ピーク値は当該２つの検出ウィンドウで別々に検出される。即ち、同一のピーク値が２回検出される。したがって、当該ピーク値が同一のピーク値であるかどうかを、当該２つの最大ピーク値の絶対位置が重複するかどうかを判定することで判定してもよい。
【０１２６】
【表６】
2015530013.tif 000029
【０１２７】
例えば、当該一次ピーク値が検出ウィンドウ（４）と検出ウィンドウ（５）の重複部分に現れると仮定すると、表６を参照して、当該二次ピーク値に対する検索ウィンドウがウィンドウ（２）とウィンドウ（３）であることが分かる。
【０１２８】
４０６では、二次ピーク値に対する検索ウィンドウで二次ピーク値を検出し、当該一次ピーク値が存在する検出ウィンドウと当該二次ピーク値が存在する検出ウィンドウの組合せに従って、周波数変動推定ウィンドウとＲＴＤ推定ウィンドウの組合せを決定する。
【０１２９】
当該二次ピーク値に対する検索ウィンドウで二次ピーク値を検出する。具体的には、二次ピーク値ごとに当該検索ウィンドウにおいて１つの最大ピーク値を発見し、当該最大ピーク値を比較し、検出閾値より大きい最大のものを二次ピーク値として選択する。
【０１３０】
周波数変動推定ウィンドウとＲＴＤ推定ウィンドウの組合せを、二次ピーク値が存在するウィンドウと一次ピーク値が存在するウィンドウに従って、表７を参照して決定する。
【０１３１】
例えば、一次ピーク値が検出ウィンドウ（４）と検出ウィンドウ（５）の重複部分に現れると仮定すると、表７を参照することで、二次ピーク値がウィンドウ（２）とウィンドウ（３）で検索されることが分かる。当該二次ピーク値が検出ウィンドウ（２）で見つかったとき、２つのピーク値を検索した後の検出ウィンドウの組合せは（２）、（４）および（５）である。表７を参照することで、当該ＲＴＤを推定するために検出ウィンドウ（４）が選択され、当該周波数変動を推定するために検出ウィンドウ（２）および（４）が選択されることが分かる。当該二次ピーク値が検出ウィンドウ（３）で見つかったとき、２つのピーク値を検索した後の検出ウィンドウの組合せは（３）、（４）および（５）である。表７を参照することで、当該ＲＴＤを推定するために検出ウィンドウ（５）が選択され、当該周波数変動を推定するために検出ウィンドウ（３）および（５）が選択されることが分かる。
【０１３２】
【表７】
2015530013.tif 000030
【０１３３】
当該周波数変動推定ウィンドウの組合せが失敗を示す場合には、当該ＺＣシーケンスの検出ウィンドウではユーザが検出されないことに留意されたい。そうでない場合には、当該ＲＴＤは指定されたＲＴＤ推定ウィンドウに従って推定される。
【０１３４】
４０７では、当該ＲＴＤの推定値を当該ＲＴＤ推定ウィンドウ内の有効ピーク値の位置に従って決定する。
【０１３５】
当該ＲＴＤの推定値は、当該ＲＴＤ推定ウィンドウ内の当該有効ピーク値の、当該ＲＴＤ推定ウィンドウの開始位置に対する変動である。当該ＲＴＤ推定ウィンドウの開始位置が予め設定した標本点をシフトすることで得られる場合には、当該ＲＴＤの推定値は、当該ＲＴＤ推定ウィンドウの開始位置に対する当該ＲＴＤ推定ウィンドウ内の有効ピーク値の変動値に当該予め設定した標本点の数を加算または減算したものである。その詳細は以下の通りである。
【０１３６】
当該ＲＴＤ推定ウィンドウの開始位置が予め設定した標本点だけ左にシフトすると仮定すると、当該ＲＴＤの推定値は、当該ＲＴＤ推定ウィンドウの開始位置の変動値から予め設定した標本点の数を引いたものである。当該ＲＴＤ推定ウィンドウシフトの開始位置が予め設定した標本点だけ右にシフトすると仮定すると、当該ＲＴＤの推定値は、当該ＲＴＤ推定ウィンドウの開始位置の変動値に予め設定した標本点の数を足したものである。
【０１３７】
４０８では、周波数変動の推定値を周波数変動推定ウィンドウの組合せに従って決定する。当該周波数変動の推定値を当該周波数変動推定ウィンドウの組合せに従って決定する方法については、ステップ２０６における関連説明を参照されたい。
【０１３８】
当該周波数変動の推定値はＵＥのアップリンク信号の変動を是正するために使用され、それによりＭｅｓｓａｇｅ３を復調する。
【０１３９】
ステップ４０８は任意であることに留意されたい。具体的には、当該周波数変動を推定しなくともよい。その代り、Ｍｅｓｓａｇｅ３は、周波数変動範囲に従って段階的に復調される。例えば、当該周波数変動範囲が［−３ＫＨｚ、３ＫＨｚ］であるとき、復調を６段階で実施してもよい。ここで、１ＫＨｚが１つの段階である。
【０１４０】
前述の実施形態で提供した超高速ランダム・アクセスを処理するための方法では、先行技術における制限されたセルに対するＺＣシーケンスを選択する原理を使用して、ＺＣシーケンス・グループを選択し、５個の検出ウィンドウが当該ＺＣシーケンス・グループ内のＺＣシーケンスごとに設定され、各ＺＣシーケンスの当該５個の検出ウィンドウ内の有効ピーク値が検出され、一次ピーク値が存在する検出ウィンドウと二次ピーク値が存在する検出ウィンドウの組合せに従ってＲＴＤ推定ウィンドウが決定され、当該ＲＴＤの推定値が決定される。このように、検出ウィンドウの間で有効ピーク値が重複するときにＲＴＤを検出する問題が解決され、周波数変動範囲が
【０１４１】
【数２０】
2015530013.tif 000031
【０１４２】
であるときの超高速移動シナリオにおけるランダム・アクセス信号の処理が実装され、それにより、ネットワークのアクセス性能が高まる。
【０１４３】
図５に示すように、本発明の１実施形態に従う超高速ランダム・アクセスを処理するための方法を具体的に以下のように説明する。ここで、当該超高速ランダム・アクセスの周波数変動範囲が
【０１４４】
【数２１】
2015530013.tif 000032
【０１４５】
であるとき、Ｗ≧５として、Ｎ（Ｎ≧Ｗ）個の検出ウィンドウがＺＣシーケンス・グループ内のＺＣシーケンスごとに設定される。
【０１４６】
５０１では、セル・タイプと第１のＮｃｓに従ってＺＣシーケンス・グループを選択する。当該ＺＣシーケンス・グループの選択結果は制限されたセルのルート・シーケンスに対する構成原理に従って得られ、これは先行技術に属し、したがってここではさらに説明することはしない。当該セル・タイプと当該第１のＮｃｓの関連説明については、ステップ１０１を参照されたい。
【０１４７】
５０２では、当該ＺＣシーケンス・グループ内のＺＣシーケンスごとにＮ個の検出ウィンドウを設定する。当該ＺＣシーケンス・グループがＭ個のＺＣシーケンスを含むとき、当該ＺＣシーケンス・グループ内のＺＣシーケンスごとにＮ個の検出ウィンドウを設定するステップを以下のように具体的に説明する。
【０１４８】
Ｄ１では、当該ＺＣシーケンス・グループ内のｉ番目のＺＣシーケンスのｄｕＨＴ値を取得する。当該ｄｕＨＴ値と取得方法の関連説明については、ステップ１０１を参照されたい。ｉの値は［１、Ｍ］の中の任意の整数である。
【０１４９】
Ｄ２では、ｉ番目のＺＣシーケンスのＮ個の検出ウィンドウの開始位置をｉ番目のＺＣシーケンスのｄｕＨＴ値に従って決定する。ｉ番目のＺＣシーケンスの当該Ｎ個の検出ウィンドウ（１）、（２）、（３）、（４）、（５）、（６）、（７）等はそれぞれ周波数変動０、−ΔｆＲＡ／＋ΔｆＲＡ／−２ΔｆＲＡ／＋２ΔｆＲＡ／−３ΔｆＲＡ／＋３ΔｆＲＡ／等に対応する。当該開始位置は以下の通りである。即ち、検出ウィンドウ（１）の開始位置は０であり、検出ウィンドウ（２）の開始位置はｍｏｄ（ｄｕＨＴ、Ｎｚｃ）であり、検出ウィンドウ（３）の開始位置はｍｏｄ（−ｄｕＨＴ、Ｎｚｃ）であり、検出ウィンドウ（４）の開始位置はｍｏｄ（２＊ｄｕＨＴ、Ｎｚｃ）であり、検出ウィンドウ（５）の開始位置はｍｏｄ（−２＊ｄｕＨＴ、Ｎｚｃ）であり、当該検出ウィンドウ（６）の開始位置はｍｏｄ（３＊ｄｕＨＴ、Ｎｚｃ）であり、当該検出ウィンドウ（７）の開始位置はｍｏｄ（−３＊ｄｕＨＴ、Ｎｚｃ）であり、その他も同様に導出することができ、ｍｏｄ（ｄｕＨＴ、Ｎｚｃ）とはｄｕＨＴをＮｚｃで除した余りを意味し、Ｎｚｃはｉ番目のＺＣシーケンスの長さである。
【０１５０】
Ｄ３では、ｉ番目のＺＣシーケンスのＮ個の検出ウィンドウの開始位置と検出ウィンドウの事前設定サイズに従って、ｉ番目のＺＣシーケンスのＮ個の検出ウィンドウを設定する。
【０１５１】
当該検出ウィンドウの大きさをセル半径に従って構成してもよく、当該大きさは当該セル半径に対応するＲＴＤを下回らない。
【０１５２】
５０３では、ＵＥがランダム・アクセス・シーケンスをＺＣシーケンス・グループから選択するように、当該セル・タイプ、第２のＮｃｓ、および当該ＺＣシーケンス・グループをＵＥに送信する。第２のＮｃｓの関連説明については、ステップ１０２を参照されたい。
【０１５３】
５０４では、ＵＥにより送信されたランダム・アクセス信号を受信し、ランダム・アクセス・シーケンスを当該ランダム・アクセス信号から取得する。
【０１５４】
５０５では、当該ＺＣシーケンス・グループ内の各ＺＣシーケンスを用いて当該ランダム・アクセス・シーケンスに相関関係処理を行い、各ＺＣシーケンスのＮ個の検出ウィンドウにおいて有効ピーク値を検出し、当該ＲＴＤの推定値を当該有効ピーク値に従って決定する。当該有効ピーク値の関連説明については、ステップ１０４を参照されたい。
【０１５５】
当該ＲＴＤの推定値を当該有効ピーク値に従って決定するステップがステップＥ１とステップＥ２を含んでもよい。これを以下で具体的に説明する。
【０１５６】
Ｅ１で、ＲＴＤ推定ウィンドウを当該有効ピーク値が存在する検出ウィンドウに従って決定しする。当該有効ピーク値が存在するＺＣシーケンスの検出ウィンドウが当該ＺＣシーケンスの他の検出ウィンドウと重複しない場合には、当該有効ピーク値が存在する検出ウィンドウから検出ウィンドウを当該ＲＴＤ推定ウィンドウとしてランダムに選択するか、または、当該有効ピーク値が存在するＺＣシーケンスの検出ウィンドウが当該ＺＣシーケンスの他の検出ウィンドウと重複するが、少なくとも１つの有効ピーク値が重複しない場合には、当該少なくとも１つの有効ピーク値が存在する検出ウィンドウを当該ＲＴＤ推定ウィンドウとして決定するか、または、当該有効ピーク値が存在するＺＣシーケンスの検出ウィンドウが当該ＺＣシーケンスの他の検出ウィンドウと重複し、かつ、当該有効ピーク値が重複する場合には、当該有効ピーク値の一次ピーク値が存在する２つの検出ウィンドウの周波数変動に従ってランダム・アクセス信号に周波数変動処理を実施して新たな有効ピーク値を取得し、当該新たな有効ピーク値に従って当該周波数変動と当該ＲＴＤ推定ウィンドウを決定する。
【０１５７】
当該ＺＣシーケンスの他の検出ウィンドウは、有効ピーク値が存在する検出ウィンドウを除く、当該ＺＣシーケンスのＮ個の検出ウィンドウ内の検出ウィンドウを指す。
【０１５８】
例えば、Ｎ個の検出ウィンドウがステップ５０３とステップ５０４でＺＣシーケンスごとに設定され、Ｎ＝６であるを仮定する。具体的には、各ＺＣシーケンスは検出ウィンドウ（１）、（２）、（３）、（４）、（５）および（６）を有する。有効ピーク値がそれぞれ第１のＺＣシーケンスの検出ウィンドウ（３）および（５）で検出された場合、当該第１のＺＣシーケンスの検出ウィンドウ（３）および（５）が当該第１のＺＣシーケンスの他の検出ウィンドウ、即ち、当該第１のＺＣシーケンスの検出ウィンドウ（１）、（２）、（５）および（６）と重複するかどうかを判定する。
【０１５９】
検出ウィンドウが重複するが少なくとも１つの有効ピーク値が非重複部分に現れるということは、当該検出ウィンドウが重複するが、当該検出された有効ピーク値における少なくとも１つの有効ピーク値が当該検出ウィンドウの当該非重複部分に現れることを意味する。この時点で、当該検出ウィンドウの当該非重複部分に現れている有効ピーク値が存在する検出ウィンドウを選択してＲＴＤを推定する。図６に示すように、これを、５個の検出ウィンドウを例として用いて以下のように説明する。
【０１６０】
図６（ａ）に示すように、二次ピーク値が検出ウィンドウ（１）に現れるとき、検出ウィンドウ（１）を用いてＲＴＤを推定してもよい。
【０１６１】
図６（ｂ）に示すように、一次ピーク値が検出ウィンドウ（２）と検出ウィンドウ（５）の重複に現れ、二次ピーク値は存在しない。ＲＴＤ推定ウィンドウを決定するために、＋１／−２ΔｆＲＡの周波数変動を受信信号に対して別々に実装した後、新たな有効ピーク値が取得され、周波数変動が当該新たな有効ピーク値に従って決定される。
【０１６２】
図６（ｃ）に示すように、一次ピーク値が検出ウィンドウ（３）と検出ウィンドウ（４）の重複部分に現れ、二次ピーク値が検出ウィンドウ（２）と検出ウィンドウ（５）の重複部分に現れる。新たな有効ピーク値が−１．５／＋１．５の周波数変動の後に得られる。当該ＲＴＤ推定ウィンドウを決定するために、ΔｆＲＡが受信信号に対して別々に実施され、周波数変動が当該新たな有効ピーク値に従って決定される。
【０１６３】
１実施形態として、当該有効ピーク値が存在するＺＣシーケンスの検出ウィンドウが当該ＺＣシーケンスの他の検出ウィンドウと重複し、当該有効ピーク値が重複する場合には、当該有効ピーク値が存在する検出ウィンドウでランダム・アクセス信号が検出されなかったと判定する。ＵＥが開始したランダム・アクセスは失敗し、アクセスが再度開始される。
【０１６４】
Ｅ２では、当該ＲＴＤの推定値を当該ＲＴＤ推定ウィンドウ内の該有効ピーク値の位置に従って決定する。ステップＣ２の具体的な実装方法については、ステップ４０７における関連説明を参照されたい。当該実施形態で提供した超高速ランダム・アクセスを処理するための方法は、周波数変動範囲が
【０１６５】
【数２２】
2015530013.tif 000033
【０１６６】
でありＷ≧５であるケースにも適用可能であることに留意されたい。Ｗ＞５であるとき、Ｎ個の検出ウィンドウが当該選択されたＺＣシーケンス・グループ内のＺＣシーケンスに対して設定される。ＮはＷを下回らない。
【０１６７】
前述の実施形態では、先行技術における制限されたセルに対するＺＣシーケンスを選択する原理を使用してＺＣシーケンス・グループを選択し、Ｎ個の検出ウィンドウが当該ＺＣシーケンス・グループ内のＺＣシーケンスごとに設定され、有効ピーク値が各ＺＣシーケンスの当該Ｎ個の検出ウィンドウで検出され、当該有効ピーク値が存在する検出ウィンドウに従ってＲＴＤ推定ウィンドウが決定され、その結果、ラウンド・トリップ遅延が決定される。このように、周波数変動範囲が
【０１６８】
【数２３】
2015530013.tif 000034
【０１６９】
でありＷ≧５であるとき、超高速シナリオにおいてＲＴＤを正確に検出することが困難であるという問題が解決され、それにより、ネットワークのアクセス性能が高まる。
【０１７０】
図７に示すように、本発明の１実施形態に従う超高速ランダム・アクセスを処理するための装置が基地局であってもよい。当該基地局は、選択ユニット７０１、設定ユニット７０２、送信ユニット７０３、受信ユニット７０４、および検出ユニット７０５を備える。
【０１７１】
選択ユニット７０１は、セル・タイプと第１のＮｃｓに従ってＺＣシーケンス・グループを選択するように構成される。
【０１７２】
設定ユニット７０２は、当該ＺＣシーケンス・グループ内のＺＣシーケンスごとにＮ個の検出ウィンドウを設定するように構成される。ここで、Ｎ≧５である。
【０１７３】
送信ユニット７０３は、ＵＥがランダム・アクセス・シーケンスを当該ＺＣシーケンス・グループから選択するように、当該セル・タイプ、第２のＮｃｓ、および当該選択ユニットにより選択されたＺＣシーケンス・グループ７０１をユーザ機器ＵＥに送信するように構成される。
【０１７４】
受信ユニット７０４は、ＵＥにより送信されたランダム・アクセス信号を受信し、ランダム・アクセス・シーケンスを当該ランダム・アクセス信号から取得するように構成される。
【０１７５】
検出ユニット７０５は、当該ＺＣシーケンス・グループ内の各ＺＣシーケンスを用いて、受信ユニット７０４により取得された当該ランダム・アクセス・シーケンスに相関関係処理を行い、ＺＣシーケンスごとに設定ユニット７０２により設定されたＮ個の検出ウィンドウにおいて有効ピーク値を検出し、ラウンド・トリップ遅延ＲＴＤの推定値を当該有効ピーク値に従って決定するように構成される。
【０１７６】
場合によっては、図１に示す方法の諸実施形態に対応して、選択ユニット７０１により選択されたＺＣシーケンス・グループがＭ個のＺＣシーケンスを含むとき、設定ユニット７０２はさらに、当該ＺＣシーケンス・グループ内のｉ番目のＺＣシーケンスのｄｕＨＴ値を取得し、ｉ番目のＺＣシーケンスのＮ個の検出ウィンドウの開始位置をｉ番目のＺＣシーケンスの当該ｄｕＨＴ値に従って決定し、ｉ番目のＺＣシーケンスのＮ個の検出ウィンドウを、ｉ番目のＺＣシーケンスの当該Ｎ個の検出ウィンドウの開始位置と検出ウィンドウの事前設定サイズに従って設定するように構成される。
【０１７７】
周波数変動が
【０１７８】
【数２４】
2015530013.tif 000035
【０１７９】
であるとき、ｉ番目のＺＣシーケンスのｄｕＨＴ値は、ｉ番目のＺＣシーケンスの電力遅延プロフィールＰＤＰにおける鏡像画像ピークのＲＴＤに対するシフトを指し、ＴＳＥＱはｉ番目のＺＣシーケンスが占める時間間隔であり、ｉの値は［１、Ｍ］の中の任意の整数である。当該ｄｕＨＴ値の取得方法については、ステップ１０１における関連説明を参照されたい。
【０１８０】
検出ウィンドウの大きさをセル半径に従って構成してもよく、当該検出ウィンドウの大きさは当該ＲＴＤの最大値を下回らない。
【０１８１】
場合によっては、当該超高速アクセスの周波数変動範囲が
【０１８２】
【数２５】
2015530013.tif 000036
【０１８３】
であり、かつ、選択ユニット７０１が選択したＺＣシーケンスがＭ個のＺＣシーケンスを含むとき、即ち、図２に示す方法の諸実施形態に対応して、設定ユニット７０２はさらに、当該ＺＣシーケンス・グループ内のｉ番目のＺＣシーケンスのｄｕＨＴ値を取得し、ｉ番目のＺＣシーケンスの５個の検出ウィンドウをｉ番目のＺＣシーケンスのｄｕＨＴ値に従って設定するように構成される。
【０１８４】
ｉ番目のＺＣシーケンスのｄｕＨＴ値は、周波数変動が
【０１８５】
【数２６】
2015530013.tif 000037
【０１８６】
であるときの、ｉ番目のＺＣシーケンスの電力遅延プロフィールＰＤＰにおける鏡像画像ピークのＲＴＤに対するシフトを指し、ＴＳＥＱはｉ番目のＺＣシーケンスが占める時間間隔であり、ｉの値は［１、Ｍ］の中の任意の整数である。ｄｕＨＴ値の取得方法については、ステップ１０１における関連説明を参照されたい。
【０１８７】
場合によっては、当該超高速ランダム・アクセスの周波数変動範囲が
【０１８８】
【数２７】
2015530013.tif 000038
【０１８９】
であるとき、Ｎ＝５として、Ｎ個の検出ウィンドウが当該ＺＣシーケンス・グループ内のＺＣシーケンスごとに設定されるとき、即ち、図２に示す方法の諸実施形態に対応して、設定ユニット７０２はさらに、ｉ番目のＺＣシーケンスの５個の検出ウィンドウの開始位置をｉ番目のＺＣシーケンスのｄｕＨＴ値に従って取得するように構成される。検出ウィンドウ（１）の開始位置は０であり、検出ウィンドウ（２）の開始位置はｍｏｄ（ｄｕＨＴ、Ｎｚｃ）であり、検出ウィンドウ（３）の開始位置はｍｏｄ（−ｄｕＨＴ、Ｎｚｃ）であり、検出ウィンドウ（４）の開始位置はｍｏｄ（２＊ｄｕＨＴ、Ｎｚｃ）であり、検出ウィンドウ（５）の開始位置はｍｏｄ（−２＊ｄｕＨＴ、Ｎｚｃ）であり、ｉ番目のＺＣシーケンスの５個の検出ウィンドウを、当該５個の検出ウィンドウの開始位置と検出ウィンドウの事前設定サイズに従って設定する。
【０１９０】
Ｎｚｃはｉ番目のＺＣシーケンスの長さである。当該ｄｕＨＴ値の取得方法については、ステップ１０１における関連説明を参照されたい。当該検出ウィンドウの事前設定サイズの関連説明については、ステップ１０４を参照されたい。当該５個の検出ウィンドウ（１）、（２）、（３）、（４）および（５）はそれぞれ、周波数変動０、−ΔｆＲＡ、＋ΔｆＲＡ、−２ΔｆＲＡ、および２ΔｆＲＡに対応する。
【０１９１】
場合によっては、当該超高速ランダム・アクセスの周波数変動範囲が
【０１９２】
【数２８】
2015530013.tif 000039
【０１９３】
であるとき、図２に示す方法の諸実施形態に対応して、設定ユニット７０１はさらに、選択されたＺＣシーケンス・グループ内のＺＣシーケンスのｄｕＨＴ値が条件
【０１９４】
【数２９】
2015530013.tif 000040
【０１９５】
を満たすかどうかを判定し、当該選択されたＺＣシーケンス・グループ内の少なくとも１つのＺＣシーケンスのｄｕＨＴ値が当該条件を満たさない場合、当該セル・タイプと当該第１のＮｃｓに従ってＺＣシーケンス・グループを再選択し、当該選択されたＺＣシーケンス・グループ内のＺＣシーケンスのｄｕＨＴ値が全て当該条件を満たす場合、当該選択されたＺＣシーケンス・グループを設定ユニット７０２と送信ユニット７０３に送信するように構成される。当該条件において、当該Ｎｃｓは第１のＮｃｓであり、当該ＮｚｃはＺＣシーケンスの長さである。
【０１９６】
場合によっては、図４に示す方法の諸実施形態に対応して、検出ユニット７０４はさらに、当該ＺＣシーケンス・グループ内の各ＺＣシーケンスの５個の検出ウィンドウにおいて有効ピーク値内の一次ピーク値を検出し、当該有効ピーク値の二次ピーク値に関する検索ウィンドウを当該一次ピーク値が存在する検出ウィンドウに従って決定し、当該二次ピーク値に関する検索ウィンドウにおいて二次ピーク値を検出し、当該一次ピーク値が存在する検出ウィンドウと当該二次ピーク値が存在する検出ウィンドウの組合せ関係に従ってＲＴＤ推定ウィンドウを決定し、当該ＲＴＤの推定値を当該ＲＴＤ推定ウィンドウ内の有効ピーク値の位置に従って決定するように構成される。
【０１９７】
場合によっては、図５に示す方法の諸実施形態に対応して、設定ユニット７０２はさらに、ｉ番目のＺＣシーケンスのＮ個の検出ウィンドウの開始位置を、当該ＺＣシーケンス・グループ内のｉ番目のＺＣシーケンスのｄｕＨＴ値に従って、検出ウィンドウ（１）の開始位置は０であり、検出ウィンドウ（２）の開始位置はｍｏｄ（ｄｕＨＴ、Ｎｚｃ）であり、検出ウィンドウ（３）の開始位置はｍｏｄ（−ｄｕＨＴ、Ｎｚｃ）であり、検出ウィンドウ（４）の開始位置はｍｏｄ（２＊ｄｕＨＴ、Ｎｚｃ）であり、検出ウィンドウ（５）の開始位置はｍｏｄ（−２＊ｄｕＨＴ、Ｎｚｃ）であり、当該検出ウィンドウ（６）の開始位置はｍｏｄ（３＊ｄｕＨＴ、Ｎｚｃ）であり、検出ウィンドウ（７）の開始位置はｍｏｄ（−３＊ｄｕＨＴ、Ｎｚｃ）であり、その他は同様に導出され、ｍｏｄ（ｄｕＨＴ、Ｎｚｃ）とはｄｕＨＴをＮｚｃで除した余りを意味し、Ｎｚｃはｉ番目のＺＣシーケンスの長さである、というように決定し、ｉ番目のＺＣシーケンスの当該Ｎ個の検出ウィンドウを、ｉ番目のＺＣシーケンスの当該Ｎ個の検出ウィンドウの開始位置と検出ウィンドウの事前設定サイズに従って設定するように構成される。
【０１９８】
当該ＺＣシーケンスの当該Ｎ個の検出ウィンドウ（１）、（２）、（３）、（４）、（５）等はそれぞれ、周波数変動０、−ΔｆＲＡ、＋ΔｆＲＡ、−２ΔｆＲＡ、＋２ΔｆＲＡ、−３ΔｆＲＡ、＋３ΔｆＲＡ／等に対応する。
【０１９９】
検出ユニット７０４はさらに、ＲＴＤ推定ウィンドウを有効ピーク値が存在する検出ウィンドウに従って決定し、当該有効ピーク値が存在するＺＣシーケンスの検出ウィンドウが当該ＺＣシーケンスの他の検出ウィンドウと重複しない場合には、当該有効ピーク値が存在する検出ウィンドウから検出ウィンドウを当該ＲＴＤ推定ウィンドウとしてランダムに選択するか、または、当該有効ピーク値が存在するＺＣシーケンスの検出ウィンドウが当該ＺＣシーケンスの他の検出ウィンドウと重複するが、少なくとも１つの有効ピーク値が重複しない場合、当該少なくとも１つの有効ピーク値が存在する検出ウィンドウを当該ＲＴＤ推定ウィンドウとして決定するか、または、当該有効ピーク値が存在するＺＣシーケンスの検出ウィンドウが当該ＺＣシーケンスの他の検出ウィンドウと重複し、当該有効ピーク値が重複する場合には、当該有効ピーク値が存在する検出ウィンドウでランダム・アクセス信号が検出されなかったと判定するか、もしくは、当該有効ピーク値の一次ピーク値が存在する２つの検出ウィンドウの周波数変動に従って当該ランダム・アクセス信号に周波数変動処理を実施して新たな有効ピーク値を取得し、当該新たな有効ピーク値に従って当該周波数変動と当該ＲＴＤ推定ウィンドウを決定し、当該ＲＴＤの推定値を当該ＲＴＤ推定ウィンドウ内の当該有効ピーク値の位置に従って決定するように構成される。
【０２００】
当該ＺＣシーケンス内の他の検出ウィンドウの関連説明はステップ５０７の関連説明と一貫する。場合によっては、検出ユニット７０４はさらに、有効ピーク値が存在する検出ウィンドウに従って周波数変動を推定するように構成される。
【０２０１】
有効ピーク値が存在する検出ウィンドウに従って周波数変動を推定するステップについては、ステップ２０６を参照されたい。
【０２０２】
選択ユニット７０１、設定ユニット７０２、送信ユニット７０３、受信ユニット７０４、および検出ユニット７０５が全て、ＣＰＵ、デジタル信号プロセッサ、または他のプロセッサであってもよいことに留意されたい。
【０２０３】
前述の諸実施形態で提供した超高速ランダム・アクセスを処理するための装置により、ランダム・アクセス信号のＲＴＤを超高速シナリオで正確に検出できないという問題が解決され、超高速で移動しているユーザ機器が、検出されたＲＴＤに従ってＴＡ値を正確に調節でき、したがってメッセージ送信タイミングを正確に調節することが保証され、その結果、超高速シナリオにおいてユーザ機器が正常にネットワークにアクセスでき、それにより当該ネットワークのアクセス性能が高まる。
【０２０４】
当該実施形態で提供した超高速ランダム・アクセスを処理するためのシステムは、図７に示す超高速ランダム・アクセスを処理するための装置を備える。
【０２０５】
上述の方法の諸実施形態の諸ステップの全部または一部を、関連するハードウェアに指示するプログラムにより実装してもよいことは当業者には理解される。当該プログラムをコンピュータ可読記憶媒体に格納してもよい。当該プログラムを実行したとき、上述の方法の諸実施形態のステップが実施される。当該記憶媒体は、ＲＯＭ、ＲＡＭ、磁気ディスク、または光ディスクのような、プログラム・コードを格納できる任意の媒体を含んでもよい。
【０２０６】
最後に、上述の諸実施形態は本発明の技術的解決策を説明することを意図したものにすぎず、本発明を限定するためのものではないことに留意されたい。上述の諸実施形態を参照して本発明を詳細に説明したが、対応する技術的解決策の本質が本発明の諸実施形態の技術的解決策の趣旨と範囲から逸脱しない限り、当業者は、上述の諸実施形態で説明した技術的解決策に修正を加え、または、当該諸実施形態の一部の技術的特徴に均等な置換を行ってもよいことは理解される。
【符号の説明】
【０２０７】
７０１  選択ユニット
７０２  設定ユニット
７０３  送信ユニット
７０４  受信ユニット
７０５  検出ユニット
【図１】
2015530013.tif 000049
【図２】
2015530013.tif 000050
【図３】
2015530013.tif 000051
【図４】
2015530013.tif 000052
【図５】
2015530013.tif 000053
【図６】
2015530013.tif 000054
【図７】
2015530013.tif 000055
【国際調査報告】
2015530013.tif 000056
2015530013.tif 000057
2015530013.tif 000058
2015530013.tif 000059